(57)【要約】      （修正有）【課題】電線ラックを取付け可能で、取付けの作業時間を短縮することができる碍子支持器具を提供する。【解決手段】取付アーム１１が、各支持面２２の両端に引通用固定孔を有し、各支持面２２に間隔をあけて複数の部材取付孔２２ｂを有している。各取付部材１２が、基板と、基板の片面から突出する１対の第１保持部と、基板の反対面から突出する１対の第２保持部とを有している。各槍出アーム１３が、各引通用固定孔の間隔に合わせて互いに電柱２の長さ方向に間隔をあけて、電柱２に対し垂直に取り付けられている。取付アーム１１は、各引通用固定孔で各槍出アーム１３に結合されている。各取付部材１２は、基板を取付面２１に当てた状態で、第１保持部および各部材取付孔２２ｂで取付アーム１１に結合されている。各取付部材１２は、各第２保持部で電線ラック１を結合している。【選択図】図１
0003110971.tif 000002
【実用新案登録請求の範囲】
【請求項１】
長さ方向に沿って複数の電線用碍子を一体的に有する電線ラックを電柱で支持するための碍子支持器具であって、
取付アームと複数の取付部材と１対の槍出アームとを有し、
前記取付アームは細長い角材から成り、互いに反対面となる１対の取付面と各取付面と隣合う１対の支持面とを有し、各支持面の両端に貫通する引通用固定孔を有し、各支持面に長さ方向に間隔をあけて取付部材取付け用の貫通する複数の部材取付孔を有し、
各取付部材は、基板と、前記基板の片面から突出して前記取付アームの各支持面を挟む１対の第１保持部と、前記基板の反対面から突出して前記電線ラックを挟む１対の第２保持部とを有し、各第１保持部に前記基板を前記取付面に当てた状態で前記部材取付孔と対応する取付用貫通孔を有し、各第２保持部に前記電線ラック取付け用の貫通するラック取付孔を有し、
各槍出アームは、一端に取付アーム取付け用の貫通するアーム取付孔を有し、各アーム取付孔を水平方向に向けて前記取付アームの各引通用固定孔の間隔に合わせて互いに電柱の長さ方向に間隔をあけて電柱に対し垂直に取り付けられていることを、
特徴とする碍子支持器具。
【請求項２】
複数のラック結合部材と１対のアーム結合部材とを有し、各ラック結合部材は各取付部材の前記基板を前記取付アームの前記取付面に当てた状態で各取付用貫通孔と各部材取付孔とに挿入されて各取付部材を前記取付アームに結合しており、各アーム結合部材は前記取付アームの各引通用固定孔と各槍出アームの前記アーム取付孔とに挿入されて前記取付アームを各槍出アームに結合していることを、特徴とする請求項１記載の碍子支持器具。
【請求項３】
複数のラック結合部材と１対のアーム結合部材とを有し、前記取付アームはさらに各取付面の両端に貫通する両引留用固定孔を有し、各ラック結合部材は各取付部材の前記基板を前記取付アームの前記１対の取付面にそれぞれ当て、両側の取付部材の各第１保持部を互いに重ねた状態で各取付用貫通孔と各部材取付孔とに挿入されて各取付部材を前記取付アームに結合しており、各アーム結合部材は前記取付アームの各両引留用固定孔と各槍出アームの前記アーム取付孔とに挿入されて前記取付アームを各槍出アームに結合していることを、特徴とする請求項１記載の碍子支持器具。
【請求項４】
複数の碍子結合部材を有し、前記電線ラックは側面に各電線用碍子を貫通する複数の碍子貫通孔を有し、各碍子結合部材は各取付部材の前記ラック取付孔と前記電線ラックの各碍子貫通孔とに挿入されて前記電線ラックを各取付部材に結合していることを、特徴とする請求項１，２または３記載の碍子支持器具。
【考案の詳細な説明】
【技術分野】
【０００１】
本考案は、電線ラックを電柱で支持するための碍子支持器具に関する。
【背景技術】
【０００２】
一般的な碍子支持器具として、電柱に対して垂直に取り付けられたアーム状の槍出部材と、その先端に取り付けられた金属製角材とを有し、碍子の種類に応じて金属製角材に取付け用の穴を加工し、その穴に碍子を取り付けるよう構成されたものがある。また、電柱用バンドで電柱に締め付けて取り付けられた金具に、電柱から突出するよう腕金を設け、その腕金に碍子などを取り付けるようにしたものもある（特許文献１参照）。
また、電柱で複数の電線をまとめて支持するために、長さ方向に沿って複数の電線用碍子を一体的に有する電線ラックが開発されている。
【０００３】
【特許文献１】特開２００３−３２４８３０号公報
【考案の開示】
【考案が解決しようとする課題】
【０００４】
しかしながら、一般的な碍子支持器具は、電線ラックを取り付けようとすると、現場で取付け用の穴を加工する必要があるため、作業時間がかかるという課題があった。また、特許文献１記載の碍子支持器具は、電線ケーブルや一般の碍子を取り付けるための器具のため、電線ラックは取り付けることができないという課題があった。
【０００５】
本考案は、このような従来の課題に着目してなされたもので、電線ラックを取付け可能で、取付けの作業時間を短縮することができる碍子支持器具を提供することを目的とする。
【課題を解決するための手段】
【０００６】
上記目的を達成するために、本考案に係る碍子支持器具は、長さ方向に沿って複数の電線用碍子を一体的に有する電線ラックを電柱で支持するための碍子支持器具であって、取付アームと複数の取付部材と１対の槍出アームとを有し、前記取付アームは細長い角材から成り、互いに反対面となる１対の取付面と各取付面と隣合う１対の支持面とを有し、各支持面の両端に貫通する引通用固定孔を有し、各支持面に長さ方向に間隔をあけて取付部材取付け用の貫通する複数の部材取付孔を有し、各取付部材は、基板と、前記基板の片面から突出して前記取付アームの各支持面を挟む１対の第１保持部と、前記基板の反対面から突出して前記電線ラックを挟む１対の第２保持部とを有し、各第１保持部に前記基板を前記取付面に当てた状態で前記部材取付孔と対応する取付用貫通孔を有し、各第２保持部に前記電線ラック取付け用の貫通するラック取付孔を有し、各槍出アームは、一端に取付アーム取付け用の貫通するアーム取付孔を有し、各アーム取付孔を水平方向に向けて前記取付アームの各引通用固定孔の間隔に合わせて互いに電柱の長さ方向に間隔をあけて電柱に対し垂直に取り付けられていることを、特徴とする。
【０００７】
本考案に係る碍子支持器具は、１対の槍出アームを互いに電柱の長さ方向に間隔をあけ、電柱に対し垂直に取り付けて使用される。１対の第２保持部で電線ラックを挟み、各第２保持部のラック取付孔によりボルトなどで電線ラックを取り付けることができる。各取付部材には電線ラック取付け用のラック取付孔があらかじめ設けられているため、現場でラックを取り付けるための穴を加工する必要がない。また、あらかじめ取付部材に電線ラックを取り付けてから現場に搬入すれば、現場での取付け作業の省略化を図ることもできる。このように、本考案に係る碍子支持器具は、現場での取付け作業を減らして作業時間を短縮することができる。
【０００８】
本考案に係る碍子支持器具は、複数のラック結合部材と１対のアーム結合部材とを有し、各ラック結合部材は各取付部材の前記基板を前記取付アームの前記取付面に当てた状態で各取付用貫通孔と各部材取付孔とに挿入されて各取付部材を前記取付アームに結合しており、各アーム結合部材は前記取付アームの各引通用固定孔と各槍出アームの前記アーム取付孔とに挿入されて前記取付アームを各槍出アームに結合している構成が可能である。この構成では、取付部材を第２保持部が取付アームに対して電柱と反対側に向くよう取付アームに取り付け、第２保持部に電線ラックを取り付けて、引通し装柱が可能となる。
【０００９】
本考案に係る碍子支持器具は、複数のラック結合部材と１対のアーム結合部材とを有し、前記取付アームはさらに各取付面の両端に貫通する両引留用固定孔を有し、各ラック結合部材は各取付部材の前記基板を前記取付アームの前記１対の取付面にそれぞれ当て、両側の取付部材の各第１保持部を互いに重ねた状態で各取付用貫通孔と各部材取付孔とに挿入されて各取付部材を前記取付アームに結合しており、各アーム結合部材は前記取付アームの各両引留用固定孔と各槍出アームの前記アーム取付孔とに挿入されて前記取付アームを各槍出アームに結合している構成が可能である。この構成では、取付部材を第２保持部が取付アームを挟んで両側に配置され、各槍出アームの長さ方向に対して垂直方向に向くよう取付アームに取り付け、第２保持部に電線ラックを取り付けて、両引留装柱が可能となる。
【００１０】
本考案に係る碍子支持器具は、複数の碍子結合部材を有し、前記電線ラックは側面に各電線用碍子を貫通する複数の碍子貫通孔を有し、各碍子結合部材は各取付部材の前記ラック取付孔と前記電線ラックの各碍子貫通孔とに挿入されて前記電線ラックを各取付部材に結合していることが好ましい。この構成では、電線ラックが複数の碍子貫通孔で各取付部材に取り付けられるため、電線ラックを取付アームにさらに確実に取り付けることができる。
【考案の効果】
【００１１】
本考案によれば、電線ラックを取付け可能で、取付けの作業時間を短縮することができる碍子支持器具を提供することができる。
【考案を実施するための最良の形態】
【００１２】
以下、図面に基づき本考案の実施の形態について説明する。
図１乃至図６は、本考案の実施の形態の碍子支持器具を示している。
図１乃至図４に示すように、碍子支持器具１０は、電線ラック１を電柱２で支持するための碍子支持器具１０であって、取付アーム１１と複数の取付部材１２と１対の槍出アーム１３と複数のラック結合部材１４と１対のアーム結合部材１５と複数の碍子結合部材１６とを有している。
【００１３】
図４に示すように、電線ラック１は、絶縁性で、長さ方向に沿って複数の電線用碍子３を一体的に有している。電線ラック１は、側面に各電線用碍子３を貫通する複数の碍子貫通孔３ａを有している。各電線用碍子３は、電線や引込線などを引っ掛けるためのフック３ｂと、電線や引込線などを取り付けるための支持孔３ｃとを有している。なお、図４に示す具体的な一例では、電線ラック１は、４つの電線用碍子３を有している。
【００１４】
図２に示すように、取付アーム１１は、細長い金属製の角材から成っている。取付アーム１１は、長さ方向に沿って、互いに反対面となる１対の取付面２１と、各取付面２１と隣合う１対の支持面２２とを有している。取付アーム１１は、各支持面２２の両端に貫通する引通用固定孔２２ａを有し、各取付面２１の両端に貫通する両引留用固定孔２１ａを有している。各両引留用固定孔２１ａは、各支持面２２の各引通用固定孔２２ａに対応する各取付面２１の位置に設けられている。取付アーム１１は、さらに、各支持面２２に長さ方向に等間隔で、取付部材１２を取り付けるための貫通する４つの部材取付孔２２ｂを有している。
【００１５】
図３に示すように、各取付部材１２は、金属製で、基板２３と１対の第１保持部２４と１対の第２保持部２５とを有している。基板２３は、矩形の板状に形成されている。各第１保持部２４は、基板２３の両端から基板２３の片面２３ａに対して垂直に突出して設けられている。各第１保持部２４は、その一つ分の厚さと取付アーム１１の各支持面２２の幅とを合わせた間隔をあけて設けられている。各第１保持部２４は、取付アーム１１の各支持面２２を挟むよう構成されている。各第１保持部２４は、基板２３の片面２３ａを取付アーム１１の取付面２１に当てた状態で部材取付孔２２ｂと対応する位置に、取付用貫通孔２４ａを有している。
【００１６】
各第２保持部２５は、基板２３の中央に、基板２３の反対面２３ｂに対して垂直に突出して設けられている。各第２保持部２５は、電線ラック１を挟むよう、電線ラック１の厚さとほぼ同じ間隔をあけている。各第２保持部２５は、電線ラック１を挟んだ状態で碍子貫通孔３ａと対応する位置に、電線ラック１を取り付けるための貫通するラック取付孔２５ａを有している。
【００１７】
図１に示すように、各槍出アーム１３は、細長い金属製の角材から成っている。各槍出アーム１３は、一端に取付アーム１１取付け用の貫通するアーム取付孔１３ａを有している。各槍出アーム１３は、互いに電柱２の長さ方向に間隔をあけて、電柱２に対し垂直に取り付けられている。各槍出アーム１３は、各アーム取付孔１３ａを水平方向に向けて、取付アーム１１の各引通用固定孔２２ａおよび各両引留用固定孔２１ａの間隔に合わせて平行に取り付けられている。
【００１８】
図１に示すように、各ラック結合部材１４は、ラック用ボルト１４ａとラック用ナット１４ｂとから成っている。各ラック結合部材１４は、各取付部材１２の基板２３を取付アーム１１の取付面２１に当てた状態で、ラック用ボルト１４ａを各取付用貫通孔２４ａと各部材取付孔２２ｂとに挿入し、ラック用ナット１４ｂで留めるようになっている。これにより、各ラック結合部材１４は、各取付部材１２を取付アーム１１に結合可能である。
【００１９】
図１に示すように、各アーム結合部材１５は、アーム用ボルト１５ａとアーム用ナット１５ｂとから成っている。各アーム結合部材１５は、取付アーム１１の各引通用固定孔２２ａまたは各両引留用固定孔２１ａと、アーム用ボルト１５ａを各槍出アーム１３のアーム取付孔１３ａとに挿入し、アーム用ナット１５ｂで留めるようになっている。これにより、各アーム結合部材１５は、取付アーム１１を各槍出アーム１３に結合している。
【００２０】
図３に示すように、各碍子結合部材１６は、碍子用ボルト１６ａと碍子用ナット１６ｂとから成っている。各碍子結合部材１６は、碍子用ボルト１６ａを各取付部材１２のラック取付孔２５ａと電線ラック１の各碍子貫通孔３ａとに挿入し、碍子用ナット１６ｂで留めるようになっている。これにより、各碍子結合部材１６は、電線ラック１を各取付部材１２に結合可能である。
【００２１】
次に、作用について説明する。
碍子支持器具１０は、１対の槍出アーム１３を互いに電柱２の長さ方向に間隔をあけ、電柱２に対し垂直に取り付けて使用される。１対の第２保持部２５で電線ラック１を挟み、各第２保持部２５のラック取付孔２５ａと電線ラック１の碍子貫通孔３ａとに碍子結合部材１６を挿入して、電線ラック１を確実に取り付けることができる。各取付部材１２には電線ラック１取付け用のラック取付孔２５ａがあらかじめ設けられているため、現場で電線ラック１を取り付けるための穴を加工する必要がない。また、あらかじめ取付部材１２に電線ラック１を取り付けてから現場に搬入すれば、現場での取付け作業の省略化を図ることもできる。このように、碍子支持器具１０は、現場での取付け作業を減らして作業時間を短縮することができる。
【００２２】
碍子支持器具１０は、以下のようにして引通し装柱が可能である。すなわち、図１に示すように、取付部材１２の基板２３を取付アーム１１の取付面２１に当てた状態で、取付用貫通孔２４ａと部材取付孔２２ｂとにラック結合部材１４を挿入して、取付部材１２を取付アーム１１に結合する。さらに、取付アーム１１の各引通用固定孔２２ａと各槍出アーム１３のアーム取付孔１３ａとに各アーム結合部材１５を挿入して、取付アーム１１を各槍出アーム１３に結合する。この構成により、取付部材１２を第２保持部２５が取付アーム１１に対して電柱２と反対側に向くよう取付アーム１１に取り付け、第２保持部２５に電線ラック１を取り付けて、引通し装柱が可能となる。
【００２３】
また、碍子支持器具１０は、以下のようにして両引留装柱が可能である。すなわち、図５に示すように、各取付部材１２の基板２３を取付アーム１１の１対の取付面２１にそれぞれ当て、両側の取付部材１２の各第１保持部２４を互いに重ねた状態で各取付用貫通孔２４ａと各部材取付孔２２ｂとに各ラック結合部材１４を挿入して、各取付部材１２を取付アーム１１に結合する。このとき、各第１保持部２４が、その一つ分の厚さと取付アーム１１の各支持面２２の幅とを合わせた間隔をあけて設けられているため、両側の取付部材１２の各第１保持部２４を互いに重ねた状態で、各取付部材１２を取付アーム１１に取り付けることができる。さらに、取付アーム１１の各両引留用固定孔２１ａと各槍出アーム１３のアーム取付孔１３ａとに各アーム結合部材１５を挿入して、取付アーム１１を各槍出アーム１３に結合する。この構成により、取付部材１２を第２保持部２５が取付アーム１１を挟んで両側に配置され、各槍出アーム１３の長さ方向に対して垂直方向に向くよう取付アーム１１に取り付け、第２保持部２５に電線ラック１を取り付けて、両引留装柱が可能となる。
【００２４】
また、碍子支持器具１０は、以下のようにして片引留装柱も可能である。すなわち、図６に示すように、取付部材１２の基板２３を取付アーム１１の一方の取付面２１に当てた状態で、取付用貫通孔２４ａと部材取付孔２２ｂとにラック結合部材１４を挿入して、取付部材１２を取付アーム１１に結合する。さらに、取付アーム１１の各両引留用固定孔２１ａと各槍出アーム１３のアーム取付孔１３ａとに各アーム結合部材１５を挿入して、取付アーム１１を各槍出アーム１３に結合する。この構成により、取付部材１２を第２保持部２５が取付アーム１１の片側に配置され、各槍出アーム１３の長さ方向に対して垂直方向に向くよう取付アーム１１に取り付け、第２保持部２５に電線ラック１を取り付けて、片引留装柱が可能となる。
【図面の簡単な説明】
【００２５】
【図１】本考案の実施の形態の碍子支持器具の引通し装柱での使用状態を示す（ａ）平面図、（ｂ）正面図、（ｃ）右側面図である。
【図２】図１に示す碍子支持器具の取付アームの（ａ）正面図、（ｂ）右側面図である。
【図３】図１に示す碍子支持器具の取付部材の（ａ）平面図、（ｂ）正面図である。
【図４】電線ラックを示す左側面図である。
【図５】本考案の実施の形態の碍子支持器具の両引留装柱での使用状態を示す（ａ）平面図、（ｂ）正面図、（ｃ）右側面図である。
【図６】本考案の実施の形態の碍子支持器具の片引留装柱での使用状態を示す（ａ）平面図、（ｂ）正面図、（ｃ）右側面図である。
【符号の説明】
【００２６】
１    電線ラック
２    電柱
３    電線用碍子
３ａ  碍子貫通孔
１０  碍子支持器具
１１  取付アーム
１２  取付部材
１３  槍出アーム
１３ａ  アーム取付孔
１４  ラック結合部材
１５  アーム結合部材
１６  碍子結合部材
２１  取付面
２１ａ  両引留用固定孔
２２  支持面
２２ａ  引通用固定孔
２２ｂ  部材取付孔
２３  基板
２４  第１保持部
２４ａ  取付用貫通孔
２５  第２保持部
２５ａ  ラック取付孔
【図１】
0003110971.tif 000003
【図２】
0003110971.tif 000004
【図３】
0003110971.tif 000005
【図４】
0003110971.tif 000006
【図５】
0003110971.tif 000007
【図６】
0003110971.tif 000008